(57)【要約】【課題】背板の位置ずれを防止することが可能な収納箱を提供する。【解決手段】収納箱２は、背壁に固定された受桟２２と、受桟２２によって支持され、背壁５に沿って設置された背板２１と、背板２１に固定された側板２３，２４と、背板２１及び側板２３，２４の少なくとも一方に固定された棚板２５，２８と、を備える。受桟２２には、受桟２２の長手方向に沿って凹部が形成され、背板２１が凹部に差し込まれている。【選択図】図２
2018108418.tif 000002
【特許請求の範囲】
【請求項１】
背壁に固定された受桟と、
前記受桟によって支持され、前記背壁に沿って設置された背板と、
前記背板に固定された側板と、
前記背板及び前記側板の少なくとも一方に固定された棚板と、を備え、
前記受桟には、前記受桟の長手方向に沿って凹部が形成され、
前記背板が前記凹部に差し込まれている収納箱。
【請求項２】
前記凹部は前記受桟の天面に形成され、
前記背板の下端部が前記凹部に差し込まれている請求項１に記載の収納箱。
【請求項３】
天板と、
前記棚板である底板と、を備える請求項１又は２に記載の収納箱。
【請求項４】
前記受桟は、床から上方に離れて配置されている請求項１〜３の何れか一項に記載の収納箱。
【請求項５】
受桟を背壁に沿って配置して固定する受桟設置工程と、
前記受桟に沿って背板を配置して前記背板を前記背壁に設置する背板設置工程と、
側板の前記背板側の端部を前記背板に固定する側板設置工程と、
前記背板及前記側板の少なくとも一方に棚板を固定する棚板設置工程と、を備え、
前記受桟には、前記受桟の長手方向に沿って凹部が形成され、
前記背板設置工程では、前記凹部に前記背板の端部を差し込んで、前記背板の端部を前記受桟に沿って配置する収納箱の製造方法。
【請求項６】
前記凹部は前記受桟の天面に形成され、
前記背板設置工程では、前記凹部に前記背板の下端部を差し込んで、前記背板の下端部を前記受桟に沿って配置する請求項５に記載の収納箱の製造方法。
【発明の詳細な説明】
【技術分野】
【０００１】
本発明は、収納箱及び収納箱の製造方法に関する。
【背景技術】
【０００２】
例えば下駄箱などの収納箱は、設置面となる壁面に沿って配置される背板と、背板の幅方向の両側に配置された一対の側板と、一対の側板間に配置された棚板とを備えている（例えば、特許文献１参照）。
【先行技術文献】
【特許文献】
【０００３】
【特許文献１】特開平１０−９９１４７号公報
【発明の概要】
【発明が解決しようとする課題】
【０００４】
本発明は、背板の位置ずれを防止することが可能な収納箱及び収納箱の製造方法を提供することを目的とする。
【課題を解決するための手段】
【０００５】
本発明の収納箱は、背壁に固定された受桟と、受桟によって支持され、背壁に沿って設置された背板と、背板に固定された側板と、背板及び側板の少なくとも一方に固定された棚板と、を備え、受桟には、受桟の長手方向に沿って凹部が形成され、背板が凹部に差し込まれている。また、凹部は受桟の天面に形成され、背板の下端部が凹部に差し込まれている構成でもよい。また、収納箱は、天板と、棚板である底板と、を備える構成でもよい。受桟は、床面から上方に離れて配置されていてもよい。
【０００６】
この収納箱では、受桟に沿って背板が配置されているので、背板の位置ずれが防止され位置精度が向上される。受桟に設けられた凹部に背板を差し込んで、背板を保持することができるので、背板を容易に位置決め固定することができると共に、背板のたわみを抑えることができる。
【０００７】
本発明の収納箱の製造方法は、受桟を背壁に沿って配置して固定する受桟設置工程と、受桟に沿って背板を配置して背板を背壁に設置する背板設置工程と、側板の背板側の端部を背板に固定する側板設置工程と、背板及側板の少なくとも一方に棚板を固定する棚板設置工程と、を備え、受桟には、受桟の長手方向に沿って凹部が形成され、背板設置工程では、凹部に背板の端部を差し込んで、背板の端部を受桟に沿って配置する。また、凹部は受桟の天面に形成され、背板設置工程では、凹部に背板の下端部を差し込んで、背板の下端部を受桟に沿って配置してもよい。
【０００８】
この収納箱の製造方法では、背板より先に受桟を設置し、受桟に沿って背板を配置することができるので、背板の位置ずれを防止して位置精度を向上させて背板を設置することができる。受桟に設けられた凹部に背板を差し込んで、背板を保持することができるので、背板を容易に位置決め固定することができると共に、背板のたわみを抑えることができる。
【発明の効果】
【０００９】
本発明によれば、背板の位置ずれを防止することが可能な収納箱及び収納箱の製造方法を提供することができる。
【図面の簡単な説明】
【００１０】
【図１】設置スペースに収納箱が設置された状態を示す斜視図である。
【図２】図１中の収納箱の斜視図である。
【図３】図１中の収納箱の正面図である。
【図４】背壁に固定された受桟及び背板を示す斜視図である。
【図５】図１のＶ−Ｖ線矢視図である。
【図６】本発明の一実施形態に係る収納箱の組立て方法の手順を示すフローチャートである。
【図７】本発明の第２実施形態に係る収納箱を示す斜視図である。
【図８】変形例に係る設置スペースに収納箱が設置された状態を示す断面図である。
【発明を実施するための形態】
【００１１】
以下、図面を参照しつつ、本発明に係る収納箱及び収納箱の組立て方法（製造方法）の実施形態について説明する。
【００１２】
（第１実施形態）
図１では、設置スペース１に収納箱２が設置された状態を示している。まず、収納箱２が配置される設置スペース１について説明する。設置スペース１としては、例えば、玄関、台所、洗面所などに隣接する空間が挙げられる。設置スペース１は、正面壁３間に形成された開口部（正面開口部）４に連通する空間である。設置スペース１は、開口部４に対向する背壁５及び背壁５の幅方向に対向する側壁６によって囲まれた領域であり、上から見た場合に矩形状を成すように形成されている。正面壁３には、側壁６よりも開口部４の内側へ張り出す張出部３ａが形成されている。開口部４の幅Ｗ１は、張出部３ａ間の距離であり、収納箱２の幅Ｗ２よりも狭くなっている（図５参照）。
【００１３】
次に、収納箱２について説明する。収納箱２は、例えば、下駄箱、食器棚、本棚などであり、収納箱２に収納される物品はどのような物でもよい。図２及び図３に示すように、収納箱２は、収納箱２の背面を構成する背板２１と、収納箱２の側面を構成する一対の側板２３，２４と、一対の側板２３，２４間に配置された棚板２５と、収納箱２の天面を構成する天板２６とを備えている。
【００１４】
背板２１は、幅方向よりも高さ方向が長い矩形状の板である。収納箱２では、幅方向に複数（例えば２枚）の背板２１が並べられている。背板２１は背壁５に沿って上下方向に配置され、背壁５に固定されている。複数の背板２１を背壁５に取り付けた状態において、複数の背板２１による幅、開口部４の幅よりも長くなっている。なお、収納箱２は、１枚の背板２１を有するものでもよい。
【００１５】
収納箱２の下端には角柱状の受桟２２が設けられ、受桟２２の長手方向は、収納箱２の幅方向（水平方向）に沿うように配置され、背壁５に固定されている。受桟２２の長さは、開口部４の幅よりも長くなっている。受桟２２は、背壁５に対して、ネジ止めされていてもよく、Ｌ字状の固定金具によって固定されていてもよい。受桟２２は、設置スペース１において床から上方に離れて配置されている。
【００１６】
図４に示されるように、受桟２２の天面２２ａの背壁５側の角部には、天面２２ａから下方に窪む凹部（段部）２２ｂが形成されている。凹部２２ｂは受桟２２の長手方向に沿って延在している。この凹部２２ｂに背板２１の下端部が差し込まれ、背板２１は受桟２２によって下方から支持されていると共に、背壁５に押し当てられている。
【００１７】
側板２３，２４は収納箱２の幅方向に対向して配置され、上から見た場合に背板２１に直交するように配置されている。側板２３，２４は背板２１の幅方向の端部に沿って上下方向に配置され、側板２３，２４の背板２１側の端部は背板２１に固定されている。
【００１８】
側板２３，２４の背壁５側の端部に、受桟２２の凹部２２ｂのような凹部が、側板２３，２４の長手方向（上下方向）に沿って延在しており、この凹部に背板２１の幅方向の端部（側端部）が差し込まれるように配置されていてもよい。
【００１９】
側板２３，２４は、例えばＬ字状の固定金具３１によって、背壁５に固定されている。Ｌ字状の固定金具３１の背板２１側のネジ穴は、側板２３，２４の直交方向（側板の板厚に沿う方向）が長辺となる角丸の長方形状の長穴であると、水平方向において側板２３，２４の設置位置の調整が容易となる。Ｌ字状の固定金具３１の背板２１側の固定片３１ａを固定するためのねじは、背板２１を貫通して背壁５に捩じ込まれている。側板２３，２４は、図５に示されるように、収納箱２の幅方向において、正面壁３の張出部３ａの先端よりも外側に配置されている。また、側板２３，２４と側壁６との間には、隙間が形成されている。
【００２０】
棚板２５は、対象物が載置されるものであり、幅方向の両端部が一対の側板２３，２４によって支持されている。側板２３，２４の対向する面には、棚板２５を支持するための支持ピンが設けられている。支持ピンは水平方向に張り出している。棚板２５の底面には、支持ピンに対応する位置に凹部が設けられている。棚板２５は支持ピン上に載せられて下方から支持されている。
【００２１】
天板２６は、収納箱２の上端部に配置され、一対の側板２３，２４によって支持されている。側板２３，２４の対向する面には、天板２６を支持するための支持ピンが設けられている。天板２６の底面には、支持ピンに対応する位置に凹部が設けられている。天板２６は支持ピン上に載せられて下方から支持されている。
【００２２】
また、収納箱２は、収納スペースを幅方向に仕切る仕切板２７と、仕切板２７と側板２３との間に配置された棚板２８とを備えている。
【００２３】
仕切板２７は、棚板２５の底面から下方に垂れ下がるように配置されている。仕切板２７は、一対の側板２３，２４と平行に配置されている。仕切板２７は、収納箱２の幅方向において、中央より一方の側板２４へずれた位置に配置されている。仕切板２７は、例えばＬ字状の固定金具を介して、背壁５に固定されている。また、仕切板２７の上端部は、棚板２５に対して固定され、仕切板２７の下端部の背板２１側の端部は、受桟２２に載置されて下方から支持されている。
【００２４】
棚板２８は、棚板２５の下方で、仕切板２７と側板２３とによって支持されている。仕切板２７及び側板２３の対向する面には、棚板２８を支持するための支持ピンが設けられている。棚板２８の底面には、支持ピンに対応する位置に凹部が設けられている。棚板２８は支持ピン上に載せられて下方から支持されている。
【００２５】
次に、図５を参照して、設置スペース１と収納箱２との位置関係について説明する。上述したように、収納箱２の幅Ｗ２は、開口部４の幅Ｗ１よりも大きくなっている。また、収納箱２の幅Ｗ２は、設置スペース１の奥行方向の長さよりも長くなっている。具体的には一対の側板２３，２４の外面間の距離は、正面壁３の張出部３ａと背壁５との距離よりも長くなっている。また、収納箱２の正面側の端部は、張出部３ａに近接して配置され、収納箱２の奥行方向の長さは、設置スペース１の奥行方向の長さよりも若干短くなっている。
【００２６】
次に、このように構成された収納箱２を組立てる方法について説明する。図６は、収納箱の組立て方法の手順を示すフローチャートである。まず、ステップＳ１では受桟設置工程Ｓ１を行う。受桟設置工程Ｓ１では、開口部４を通じて受桟２２を設置スペース１内に挿入し、受桟２２を背壁５に固定する。受桟２２を設置スペース内に挿入する際には、受桟２２の長手方向を、上下方向に沿うよう配置して、開口部４を通過させる。その後、受桟２２の向きを変えて、受桟２２の長手方向を水平方向にして背壁５に固定する。
【００２７】
次に、背板設置工程Ｓ２を行う。背板２１の背面には幅方向に離間する複数の両面テープ３２が背板２１の長手方向（設置場所における上下方向）に沿って貼り付けられている。例えば、工場からの出荷時には、背板２１に両面テープ３２が貼り付けられている。背板設置工程Ｓ２では、背板２１の下端部を上方から受桟２２の凹部２２ｂに差し込み、背板２１の下端部を位置決めする。その後、下から上に、背板２１を背壁５に押し付けて、背板２１の背面の両面テープ３２を背壁５に付着させることで、背板２１を設置する。
【００２８】
次に、側板設置工程Ｓ３を行う。側板設置工程Ｓ３では、側板２３，２４を背板２１の幅方向の端部に沿って上下方向に配置して、側板２３，２４の背板２１側の端部を背板２１に固定する。Ｌ字状の固定金具３１を、背板２１と側板２３，２４とが交差する角部に配置して、固定金具３１の背板２１側の固定片３１ａを固定するねじを、背板２１を貫通させて背壁５に捩じ込むことで、側板２３，２４を背板２１と共に背壁５に固定する。
【００２９】
次に、棚板設置工程Ｓ４を行う。棚板設置工程Ｓ４では、棚板２５を側板２３，２４間に設置する。側板２３，２４の互いに対向する面には、支持ピンが設けられており、棚板２５を水平方向に配置して上方から下向きに移動させて支持ピン上に載せる。
【００３０】
棚板設置工程Ｓ４では、仕切板２７及び棚板２８の取付けを行う。ここでは、仕切板２７を棚板２５に対して垂直に配置して、仕切板２７の背板２１側の端部を受桟２２に載せると共に仕切板２７をＬ字状の固定金具を用いて背板２１を挟んで背壁５に固定する。次に、棚板２８を側板２３と仕切板２７との間に設置する。側板２３及び仕切板２７の互いに対向する面には、支持ピンが設けられており、棚板２８を水平方向に配置して上方から下向きに移動させて支持ピン上に載せる。
【００３１】
次に、天板設置工程Ｓ５を行う。天板設置工程Ｓ５では、天板２６を側板２３，２４間に設置する。側板２３，２４の互いに対向する面には、支持ピンが設けられており、天板２６を水平方向に配置して上方から下向きに移動させて支持ピン上に載せる。
【００３２】
このような収納箱の組立て方法によれば、設置スペース１内に背板２１を設置した後に、側板２３，２４及び棚板２５，２８を設置するので、設置スペース１内で収納箱２を組立て設置することができる。その結果、設置スペース１の開口部４の幅Ｗ１よりも大きな幅Ｗ２を有する収納箱２を、設置スペース１内に納まりよく設置することができる。また、収納箱の組立て方法では、背板２１、側板２３，２４、棚板２５，２８、仕切板２７、天板２６などの部材毎に設置することができるため、各部材が組み上げられた収納箱を背壁５に設置して施工する方法と比較して、作業者の負担が軽減され、施工の省力化が図られている。各部材を順に組み付けるのであれば、例えば一人で施工することも可能である。
【００３３】
また、この組立て方法では、背板２１より先に受桟２２を設置し、受桟２２を基準にして背板２１を配置することができるので、背板２１の位置ずれを防止して位置精度を向上させて背板２１を設置することができる。また、受桟２２に設けられた凹部２２ｂに背板２１を差し込むことができるので、背板２１を容易に位置決め固定することができると共に背板２１のたわみを抑えることができる。
【００３４】
背板２１の幅方向に離間して両面テープ３２が配置されているので、両面テープ３２の設置面積を抑えることができ、背板２１を設置する際に、不要に背板２１が背壁５に付着してしまうことを防止して、容易に施工することができる。また、事前に両面テープ３２が背板２１に施工されているので、設置場所において両面テープ３２の位置決めを行うことなく、背板２１を背壁５に押し当てるだけで、背板２１を設置することができる。
【００３５】
（第２実施形態）
次に第２実施形態に係る収納箱４０の組立て方法について説明する。図７は第２実施形態に係る収納箱を示す斜視図である。なお、第２実施形態の説明において、第１実施形態と同じ説明は省略する。収納箱４０は、収納箱４０の背面を成す背板４１と、背板４１の幅方向の両端に配置され正面側に張り出す一対の側板４３，４４と、一対の側板４３，４４に支持され収納箱４０の底面を成す棚板である底板４５と、一対の側板４３，４４に支持され収納箱４０の天面を成す天板４６とを備えている。
【００３６】
背板４１は、正面視において矩形の板材から構成されている。一対の側板４３，４４、底板４５及び天板４６は矩形の枠体を形成し背板４１の正面側に取り付けられている。一対の側板４３，４４は、例えばＬ字状の固定金具により背壁に固定され、底板４５は側板４３，４４に設けられた支持ピンによって下方から支持されている。天板４６は、一対の側板４３，４４の上端面に載せられている。例えば、側板４３，４４の上端面には、上方に突出する木ダボが設けられ、天板４６の底面には対応する位置に木ダボが挿入される孔部が設けられている。この孔部に木ダボを差し込むことで、天板４６を一対の側板４３，４４に固定する。
【００３７】
このような収納箱４０の組立て方法では、まず、設置スペース内の背壁に背板４１を貼り付ける（背板設置工程）。例えば、両面テープを用いて背板４１を貼り付ける。次に、一対の側板４３，４４を設置する（側板設置工程）。固定金具を取り付ける際には、背板４１を貫通させてねじを背壁に捩じ込んで、側板４３、４４を固定する。次に、底板４５を一対の側板４３、４４の下端部に取り付け（棚板設置工程）、天板４６を一対の側板４３，４４の上端部に取り付ける。このような手順により、設置スペース内で収納箱４０を組立てて、収納箱４０の幅よりも狭い入口の開口幅を有する設置スペースに収納箱４０を設置することができる。なお、第２実施形態において、背板４１を下方から支持する受桟を設けてもよい。
【００３８】
本発明は、前述した実施形態に限定されず、本発明の要旨を逸脱しない範囲で下記のような種々の変形が可能である。
【００３９】
上記の実施形態では、設置スペース１の正面側には、側壁６よりも内側に張り出す張出部３ａが、幅方向の両側に形成されているが、張出部が片方のみに設けられているものでもよい。本発明は、設置スペースの正面側の開口部の幅よりも大きな幅を有する収納幅を設置する際に適用可能である。
【００４０】
図８は、変形例に係る設置スペースに収納箱が設置された状態を示す断面図である。図８に示す設置スペース５１の正面側では、側壁６よりも幅方向の内側に張り出す張出部５３ａは、幅方向の片方のみに設けられている。この場合の開口部４の幅は、張出部５３ａが設けられていない方の側壁６の表面から、張出部５３ａの先端までの長さとなる。図８に示されるように玄関横の設置スペース５１に、収納箱２を設置する場合に本発明の収納箱の組立て方法を適用することができる。例えば、設置スペース５１は、玄関ドア５２が設けられた側壁６に隣接して配置されている。また、設置スペース５１は、室内壁に設けられたドアに隣接して配置されていてもよい。これにより、ドア近傍のスペースを有効に利用して収納箱を設置することができる。
【００４１】
また、上記実施形態では、棚板の形状は矩形状を成しているが、棚板の形状は、例えば、台形状、三角形状などでもよく、曲線部など有するその他の形状でもよい。また、背板の幅方向の両側に、側板が配置されているものでもよく、背板の幅方向の一方のみに側板が配置されているものでもよい。また、一対の側板の背板からの張り出し長さは、同一でもよく異なっていてもよい。また、一対の側板の上下方向の長さは、同一でもよく異なっていてもよい。
【００４２】
また、上記実施形態では両面テープを用いて背板を背壁に貼り付けているが、背板を背壁にネジ止めしてもよく、接着剤を用いて接着させてもよい。背壁に両面テープを先に貼り付けてから、背板を背壁に貼り付けてもよい。
【００４３】
また、上記実施形態では、天板を備える収納箱を組立てているが、収納箱は天板を備えていないものでもよい。また、収納箱は対象物を載置可能な地板を備えるものでもよい。
【００４４】
また、上記の実施形態では、棚板設置工程Ｓ４を実施した後に、天板設置工程Ｓ５を実施しているが、天板設置工程を実施した後に棚板設置工程を実施してもよい。また、複数の棚板を設置する場合において、棚板を設置し、天板を設置した後に、さらに棚板を設置してもよい。棚板及び天板の設置順序は、任意の順序でよい。
【００４５】
また、上記の実施形態では、側板設置工程Ｓ３と棚板設置工程Ｓ４を別々に実施しているが、側板と棚板とを組み上げた後に、これらの側板及び棚板（必要に応じて天板、地板）を背板に対して位置合わせして設置してもよい。
【符号の説明】
【００４６】
１，５１…設置スペース、２，４０…収納箱、４…開口部（正面開口部）、５…背壁、２１，４１…背板、２２…受桟、２３，２４，４３，４４…側板、２５，２８…棚板、３２…両面テープ、４５…底板（棚板）、Ｗ１…開口部の幅、Ｗ２…収納箱の幅。
【図１】
2018108418.tif 000003
【図２】
2018108418.tif 000004
【図３】
2018108418.tif 000005
【図４】
2018108418.tif 000006
【図５】
2018108418.tif 000007
【図６】
2018108418.tif 000008
【図７】
2018108418.tif 000009
【図８】
2018108418.tif 000010